(57)【要約】    【課題】  チューブ内に流体を供給し、加圧した後、加圧状態を保持することができ、保圧時に、適用されるチューブよりも径の大きな構造が残存せず、従って、チューブに外挿されているチューブや内視鏡などを容易に抜去することを可能とする加圧・保圧治具を提供する。    【解決手段】  側面に流体供給孔３ｃが設けられたカテーテル３の端部から取付けられるように構成されており、カテーテル３に外挿される筒状体６と、筒状体６の内周面において、長さ方向に隔てられた第１，第２の環状シール部材７ａ，７ｂとを備える治具本体６と、カテーテル３の開口端からチューブ内に挿入される封止操作部材１０とを備え、第１，第２の環状シール部材間において筒状体６の側面に流体注入孔８が設けられており、封止操作部材１０が、カテーテル３よりも細い操作ロッド１１と、操作ロッド１１の先端に設けられた封止部材１２とを有する、加圧・保圧治具２。【選択図】      図１
2006055279.tif 000002
【特許請求の範囲】
【請求項１】
側面に流体供給孔が設けられ、かつ少なくとも一方が開口端であるチューブの流体供給孔部分に取り付けられ、該流体供給孔を通してチューブ内に加圧用流体を供給して加圧し、かつ加圧後にチューブ内の圧力を保持するための加圧・保圧治具であって、
前記チューブに外挿される筒状体及び、前記筒状体の内周面において、チューブの長さ方向に隔てられて筒状体に固定されており、チューブ外周面に気密的に圧接される第１，第２の環状シール部材を備え、前記第１，第２の環状シール部材間において前記筒状体側面に流体注入孔が設けられており、前記流体注入孔から前記チューブの側面に設けられた流体供給孔を通じてチューブ内に流体を供給することが可能とされている治具本体と、
前記チューブの開口端からチューブ内に挿入される封止操作部材とからなり、
該封止操作部材は、チューブよりも細い操作ロッドと、操作ロッドの先端に固定されており、かつ前記チューブに挿入された際に、チューブを気密封止する封止部材とを有することを特徴とする、加圧・保圧治具。
【請求項２】
前記筒状体の流体注入孔から側方に延びかつ前記流体注入孔を外部に連通させている流路を有する筒状突出部をさらに備える、請求項１に記載の加圧・保圧治具。
【請求項３】
前記チューブが、医療用のバルーンカテーテルのカテーテルであり、該バルーンカテーテル用の加圧・保圧治具であることを特徴とする、請求項１または２に記載の加圧・保圧治具。
【発明の詳細な説明】
【技術分野】
【０００１】
本発明は、例えばバルーンカテーテルなどの医療用のチューブ内に加圧するために流体を供給し、加圧後に圧力を保持することを可能とする加圧・保圧治具に関し、より詳細には、保圧時に、適用されるチューブの外径よりも径の大きな部分が残存しないようにできる構造を備えた加圧・保圧治具に関する。
【背景技術】
【０００２】
従来から、尿道用フォーリーカテーテル、塞栓除去用カテーテル、胃カテーテル、気管内チューブ、気管切開チューブなどの、様々なチューブが医療用途で使用されている。
【０００３】
また、近年、内視鏡を用い、モニターで観察しながら、バルーンカテーテルによる拡張処置が実施されている。
【０００４】
上記バルーンカテーテルは、主にチューブであるカテーテルと、カテーテルの一端付近に設けられたバルーンとを有し、バルーンとは反対側のカテーテル端部は流体が圧入できるよう開口端となっている。このバルーンカテーテルは、使用に際しては、例えば長尺状の内視鏡の鉗子チャネルに挿入される。この場合、バルーンが設けられている側のバルーンカテーテル端部を先頭にして、内視鏡の鉗子チャネルにバルーンカテーテルを挿入する。内視鏡の鉗子チャネルを経て、治療対象である狭窄部、閉塞部等にバルーンを到達させる。次に、バルーンカテーテルの開口端からバルーンカテーテル内に流体を圧入し、流体の圧力によりバルーンを拡張する。バルーンの拡張により、バルーンが挿入された狭窄部、閉塞部等が拡げられる。このような状態で狭窄部、閉塞部等に対する処置が行われる。従って、処置中はバルーンの拡張状態が保持されている必要がある。
【０００５】
バルーンの拡張を保持するために、すなわち保圧のためにバルーンカテーテルの開口端を、ゴム栓を用いて封止する方法が提案されている。さらに、バルーンカテーテルのようなチューブの開口端を封止して保圧を可能とする弁構造も種々提案されている。
【０００６】
例えば、下記の特許文献１には、弁本体に係合し係止する環状弾性部と、弁本体を環状弾性部に付勢する弾発部とが設けられている医療用一方弁が開示されている。この医療用一方弁では、弁本体当接面が環状弾性部の当接面に密着されるように構成されており、広い範囲の圧力下で保圧することが可能とされている。
【特許文献１】特開２００２−１１３１００号公報
【発明の開示】
【発明が解決しようとする課題】
【０００７】
しかしながら、例えば内視鏡を用いて、バルーンカテーテルによる拡張処置を行なう場合などには、体内に挿入した内視鏡の鉗子チャネルを通してバルーンカテーテルを治療対象部位に到達させた後バルーンを拡張させ、その後、バルーンの拡張状態を保持しつつ、バルーンカテーテルを体内に挿入したままで、外側の内視鏡を抜去することがある。
【０００８】
この場合、特許文献１に記載のような弁構造をバルーンカテーテルの開口端に取付けて用いると、最大でも径がφ２．７ｍｍ程度である内視鏡の鉗子チャネルよりも弁構造の外径が大きいため、バルーンカテーテルを体内に残したままで内視鏡を抜去することができないという問題があった。
【０００９】
また、上記の場合において、仮に内視鏡の鉗子チャネルを弁構造が通る大きさの径にし
たとすると、バルーンカテーテルを体内に残したままで内視鏡の抜去が可能となるが、内視鏡の外径が大きくなるため、被処置者に苦痛を与えたり、処置自体が困難になるという問題があった。
【００１０】
一方、ゴム栓などを用いてバルーンカテーテルの開口端を予め封止しておき、シリンジの針をゴム栓に刺通させることにより、流体をバルーンカテーテル内に圧入する方法も考えられるが、その場合、作業性や安全性が低くなるという問題があった。
【００１１】
本発明の目的は、上述した従来技術の現状に鑑み、チューブ内、特にバルーンカテーテルにおけるカテーテルなどの医療用チューブ内に流体を供給し加圧した後、加圧状態を保持することを可能とするとともに、保圧時に、適用されるチューブの外径よりも径の大きな構造が残らないようにすることができ、従って、外挿される内視鏡などを容易に除去することを可能とする構造を備えた加圧・保圧治具を提供することにある。
【課題を解決するための手段】
【００１２】
本発明に係る加圧・保圧治具は、側面に流体供給孔が設けられ、かつ少なくとも一方が開口端であるチューブの流体供給孔部分に取付けられ、該流体供給孔を通してチューブ内に加圧用流体を供給して加圧し、かつ加圧後にチューブ内の圧力を保持するための加圧・保圧治具であって、チューブに外挿される筒状体及び、筒状体の内周面において、チューブの長さ方向に隔てられて筒状体に固定されており、チューブ外周面に気密的に圧接される第１，第２の環状シール部材を備え、第１，第２の環状シール部材間において筒状体側面に流体注入孔が設けられており、流体注入孔からチューブの側面に設けられた流体供給孔を通じてチューブ内に流体を供給することが可能とされている治具本体と、チューブの開口端からチューブ内に挿入される封止操作部材とからなり、封止操作部材は、チューブよりも細い操作ロッドと、操作ロッドの先端に固定されており、かつチューブに挿入された際に、チューブを気密封止する封止部材とを有することを特徴とする。
【００１３】
本発明のある特定の局面では、上記加圧・保圧治具は、筒状体の流体注入孔から側方に延びかつ流体注入孔を外部に連通させている流路を有する筒状突出部をさらに備えている。
【００１４】
本発明に係る加圧・保圧治具の別の特定の局面では、上記チューブが、医療用のバルーンカテーテルのカテーテルであり、バルーンカテーテル用の加圧・保圧治具であることを特徴とする。
【発明の効果】
【００１５】
本発明に係る加圧・保圧治具は、チューブ、特に好ましくはバルーンカテーテルに使用されるカテーテルなどの医療用チューブに適用されるものであって、チューブに外挿される筒状体と、筒状体の内周面において、チューブの長さ方向に隔てられて筒状体に固定された第１，第２の環状シール部材とを備える治具本体と、チューブの開口端からチューブ内に挿入される封止操作部材とからなる。使用に際しては、側面に流体供給孔が設けられたチューブに、上記加圧・保圧治具を該チューブの端部から挿入し、第１，第２の環状シール部材間に上記チューブの流体供給孔が位置するように治具本体を取付ければよい。そして、封止操作部材を、チューブの開口端からチューブ内に挿入し、封止操作部材をチューブに設けられた流体供給孔よりも開口端側に位置させることにより、チューブ内を気密封止する。この状態では、チューブの封止操作部材が挿入されている部分よりも内側部分、即ち液体供給孔が設けられている側が、流体供給孔が設けられている部分を除いて気密封止されることになる。よって、治具本体の流体注入孔から流体を注入し、チューブ側面に設けられた流体供給孔を介してチューブ内に流体を供給することによりチューブ内を加圧することができる。
【００１６】
本発明に係る加圧・保圧治具では、チューブ内に流体を供給し加圧した後には、封止操作部材の操作ロッドを手指で把持してチューブ内にさらに深く挿入し、上記封止操作部材を、上記チューブ側面に設けられた流体供給孔よりも内側部分に位置させることにより、チューブ内を確実に封止操作部材により封止し、容易に加圧状態を保持することができる。従って、封止操作部材によりチューブ内を保圧している状態では、上記治具本体がなくても、封止操作部材のみによりチューブ内を保圧することができる。また、封止操作部材の操作ロッドはチューブよりも細くなされているので、治具本体よりもチューブ開口端側にはチューブの外径よりも大きな部材は存在せず、即ち、チューブに外挿されている治具本体は、その筒状体をチューブの開口端側に移動させることにより容易に取り外すことができる。よって、治具本体を取り除いた状態では、封止操作部材がチューブの内部に挿入されているだけであるため、保圧状態においてチューブの外径よりも大きな部材は存在しない。
【００１７】
従って、チューブが長尺状の内視鏡などの外挿チューブに挿通されて体内などに挿入されている場合において、保圧されているチューブを残存させたまま、内視鏡などの外挿チューブをチューブの端部から容易に抜去することができる。
【００１８】
本発明において、加圧・保圧治具が筒状体の流体注入孔を外部に連通させている流路を有する筒状突出部を備えている場合には、筒状突出部を介して、流体を容易に供給することができる。
【００１９】
本発明において、チューブが、医療用のバルーンカテーテルのカテーテルの場合には、カテーテルから治具本体が取外されると、カテーテルの外径よりも径の大きな構造が残らないこととなる。よって、前述したように、内視鏡を用いて、バルーンカテーテルによる拡張処置を行なう場合でも、狭窄部、閉塞部等でバルーンの拡張を保持し、バルーンカテーテルを挿入したままで、内視鏡を抜去することができる。
【００２０】
即ち、本発明の加圧・保圧治具は、加圧・保圧が必要となることが多く、また、内視鏡などに挿通されて用いられる場合など、弁構造の存在が邪魔になり易い医療用チューブに好適に適用することができ、特に、バルーンカテーテル用として最適に用いることができる。
【発明を実施するための最良の形態】
【００２１】
以下、図面を参照しつつ、本発明の具体的な実施形態を説明することにより、本発明を明らかにする。
【００２２】
図１（ａ）及び（ｂ）は、本発明の一実施形態に係る加圧・保圧治具２が取付けられたバルーンカテーテルを示す正面図及びその要部を示す部分切欠正面断面図である。
【００２３】
図１（ａ）に示すように、バルーンカテーテル１に、本実施形態の加圧・保圧治具２が取付けられている。バルーンカテーテル１は、カテーテル３と、カテーテル３の内側端３ａ近傍に取付けられたバルーン４とを有する。内側端３ａは閉塞されているとともに、バルーン４内のカテーテル３の側面に流体の通気孔が設けられており、カテーテル３内に圧入された流体はバルーン４内に導入されるように構成されている。
【００２４】
加圧・保圧治具２は、治具本体５と、封止操作部材１０とを有する。
【００２５】
図２（ａ）及び（ｂ）は、治具本体５を示す側面図及び正面断面図である。治具本体５は、円筒状の筒状体６を有する。筒状体６の内周面には、第１，第２の環状シール部材７
ａ，７ｂが装着されるカテーテル３の長さ方向に隔てられて筒状体６に固定されている。また、筒状体６の側面には、流体注入孔８が設けられている。流体注入孔８は、流体を筒状体６内に注入するために設けられており、環状シール部材７ａ，７ｂ間に配置されている。本実施形態では、流体注入孔８が設けられている部分において、筒状体６の側面から外側に突出している筒状突出部９が、筒状体６と一体に形成されている。
【００２６】
上記筒状体６及び筒状突出部９は、合成樹脂や金属などの適宜の硬質材料により構成され得る。
【００２７】
また、上記第１，第２の環状シール部材７ａ，７ｂは、図１（ｂ）に示されているように、バルーンカテーテル１のカテーテル３に外挿された際に、カテーテル３の外周面に気密的に圧接し得るように設けられている。従って、気密封止を果たすために、第１，第２の環状シール部材７ａ，７ｂは、ゴムやエラストマーなどの弾性材料により構成されている。
【００２８】
本実施形態では、筒状突出部９を設けることにより、後述する流体注入に際しての流体を注入する導管となるチューブなどを容易に接続することができる。もっとも、筒状突出部９は必ずしも設けられずともよい。
【００２９】
また、筒状体６の外形は円筒状に限らず、角筒状、楕円状等であってもよい。
【００３０】
他方、図３に正面図で示すように、封止操作部材１０は、カテーテル３の外径、好ましくは内径よりも細い操作ロッド１１と、操作ロッド１１の一方端に設けられた封止部材１２とを有する。尚、操作ロッド１１は、封止部材１２が設けられた側は封止部材１２とともにカテーテル３内に挿入されるので、カテーテル３内に挿入される部分はカテーテル３の内径よりも細くなされている。即ち、操作ロッド１１のカテーテル３内に挿入される部分はカテーテル３の内径よりも細くなされており、操作ロッド１１のカテーテル３内に挿入されない部分はカテーテル３の外径よりも細くなされていればよいが、操作ロッド１１全体としてカテーテル３の内径よりも細くなされているのが好ましい。
【００３１】
封止部材１２は、図１（ｂ）に示すように、カテーテル３に挿入された際に、カテーテル３を気密封止する。従って、封止部材１２は、ゴムやエラストマーなどの弾性材料で構成されていることが望ましい。もっとも、封止部材１２は、封止操作部材１０をカテーテル３内に挿入した際、カテーテル３の長さ方向に移動させ得るように構成されていることが必要である。従って、封止部材１２は、気密封止を果たすとともに、カテーテル３内で移動され得る材料で構成されていることが望ましい。
【００３２】
次に、図１、図４及び図５を参照して、上記加圧・保圧治具２を用いて、バルーンカテーテル１の加圧及び保圧を行う方法を説明する。
【００３３】
まず、図１（ａ）及び（ｂ）に示すように、加圧・保圧治具２の治具本体５を、カテーテル３の開口端３ｂから外挿する。そして、カテーテル３の側面に設けられた流体供給孔３ｃが、第１，第２の環状シール部材７ａ，７ｂ間に位置するように、治具本体５をカテーテル３に取付ける。この状態において、封止操作部材１０を、封止部材１２側よりカテーテル３の開口端３ｂからカテーテル３内に挿入し、封止部材１２を流体供給孔３ｃよりも開口端３ｂ側に位置させ、流体供給孔３ｃよりも開口端３ｂ側においてカテーテル３を気密封止する。すなわち、図１（ｂ）に示す状態のように、カテーテル３の開口端３ｂ近傍において、封止部材１２によりチューブ３が気密封止される。また、流体供給孔３ｃが、第１，第２の環状シール部材７ａ，７ｂ間に位置しているため、筒状突出部９から流体注入孔８を通して流体を注入した場合、該流体は流体供給孔３ｃを経てカテーテル３内に
導かれる。そして、この流体により、カテーテル３内を加圧することができる。
【００３４】
治具本体５の筒状突出部９より流体をカテーテル３内に流入し加圧した後、図４に示すように、封止部材１２がカテーテル３の流体供給孔３ｃよりも内側に至るように、封止操作部材１０の操作ロッド１１を手指で把持して封止操作部材１０をさらに内側に挿入する。このとき、カテーテル３の開口端３ｂ及び流体供給孔３ｃと、流体が供給され加圧状態にあるバルーン４とが、封止部材１２によって遮断される。よって、バルーン４と封止部材１２との間の空間は気密封止され、バルーン４の加圧状態を保持することができる。すなわち、保圧することができる。このとき、封止操作部材１０をチューブ３内に残しておけば、保圧状態を保持することができるので、治具本体５のみをカテーテル３の開口端３ｂ側へ移動させ取り去ればよい。カテーテル３から治具本体５が取外されると、バルーンカテーテル１にはバルーン４を除いてカテーテル３の外径よりも径の大きな構造が残らないこととなる。従って、保圧に不要の部材を除去できるだけでなく、例えば内視鏡を用いて、バルーンカテーテルによる拡張処置を行なう場合でも、狭窄部、閉塞部等でバルーンの拡張を保持し、バルーンカテーテルを挿入したままで、処置後に内視鏡を抜去することができる。
【００３５】
なお、本発明の加圧・保圧治具が適用されるチューブは、バルーンカテーテルに限定されず、加圧・保圧される他の医療用チューブであってもよく、さらには医療用以外のチューブであってもよい。
【図面の簡単な説明】
【００３６】
【図１】（ａ）は、本発明の一実施形態に係る加圧・保圧治具が取付けられたバルーンカテーテルを示す正面図、（ｂ）は、バルーンカテーテルに取付けられた加圧・保圧治具を拡大して示す部分切欠正面断面図。
【図２】（ａ），（ｂ）は、本発明の一実施形態に係る加圧・保圧治具の治具本体を示す側面図および正面断面図。
【図３】本発明の一実施形態に係る加圧・保圧治具の封止操作部材を示す正面図。
【図４】封止操作部材を操作してカテーテル内を保圧する工程を説明するための部分切欠正面断面図。
【図５】バルーンカテーテルのカテーテル内に封止操作部材を挿入して保圧たままで、バルーンカテーテルから治具本体を取外す工程を説明するための正面断面図。
【符号の説明】
【００３７】
１…バルーンカテーテル
２…加圧・保圧治具
３…カテーテル
３ａ…内側端
３ｂ…開口端
３ｃ…流体供給孔
４…バルーン
５…治具本体
６…筒状体
６ａ…左側端部
６ｂ…右側端部
７ａ…第１の環状シール部材
７ｂ…第２の環状シール部材
８…流体注入孔
９…筒状突出部
１０…封止操作部材
１１…操作ロッド
１２…封止部材
【図１】
2006055279.tif 000003
【図２】
2006055279.tif 000004
【図３】
2006055279.tif 000005
【図４】
2006055279.tif 000006
【図５】
2006055279.tif 000007